(57)【要約】【課題】肘掛けを長寸とすることなく、テーブル使用時の前後寸法を大とし、使い勝手を向上させる。  【解決手段】脚体に、肘掛支柱４よりも前方に突出する左右１対の座支持ブラケット８、８を設け、この両座支持ブラケット８，８の前部により座１０を支持し、不使用位置におけるテーブル１４の後端が、前記座支持ブラケット８による座１０の支持部よりも後方に位置しうるようにする。【選択図】図４
2007222267.tif 000002
【特許請求の範囲】
【請求項１】
座を支持する脚体に設けた肘掛支柱の上端に、前後方向を向く肘掛けを設け、この肘掛けの前端に設けた左右方向を向く第１枢軸回りに回動可能に枢着した、第１枢軸と直交する方向を向く第２枢軸に、テーブルの一側部を回動可能に枢着することにより、前記テーブルを、前記肘掛支柱の前方かつ前記肘掛けの下方において垂下する不使用位置から、前記第１枢軸回りに前上方に回動させたのち、前記第２枢軸回りに下方に回動させ、座の上方においてほぼ水平となる使用位置までの間を移動させうるように設けてなるテーブル付き椅子において、
前記脚体に、前記肘掛支柱よりも前方に突出する左右１対の座支持ブラケットを設け、この両座支持ブラケットの前部により前記座を支持し、前記不使用位置におけるテーブルの後端が、前記座支持ブラケットによる座の支持部よりも後方に位置しうるようにしたことを特徴とするテーブル付き椅子。
【請求項２】
肘掛支柱を後傾させ、それと肘掛けとの連設部に形成される入隅部に、不使用位置におけるテーブルの後上方のコーナー部が入り込むようにしてなる請求項１記載のテーブル付き椅子。
【請求項３】
肘掛けの前端部内側面を外側方に凹ませ、その凹ませた内側面に、第１枢軸によりテーブルの側端部を枢着してなる請求項１または２記載のテーブル付き椅子。
【発明の詳細な説明】
【技術分野】
【０００１】
本発明は、左右の肘掛支柱の上端に設けた前後方向を向く肘掛けに、テーブルを、肘掛けの下方に垂下する不使用位置から、座の上方においてほぼ水平となる使用位置との間を移動しうるように設けてなるテーブル付き椅子に関する。
【背景技術】
【０００２】
この種のテーブル付き椅子としては、例えば特許文献１に記載されているものがある。
【特許文献１】実公平４−４４１３７号公報
【発明の開示】
【発明が解決しようとする課題】
【０００３】
上記特許文献１に記載されているテーブル付き椅子においては、肘掛支柱を兼ねる左右の脚柱（背座支持金物）の互いに対向する内側面に、座の後端の左右両側部を、上方に回動可能に支持しているため、左右の脚柱及び座の支持部が、座に対し相対的に前方に位置することとなる。
【０００４】
このため、一方の肘掛けの前端に枢着されたテーブルを、肘掛けの下方に垂下する不使用位置としたときに、その後端が脚柱の前面と当接することのないように、テーブルの奥行寸法を制限する必要がある。このようになると、テーブルを水平の使用状態としたときの前後寸法も小さくなり、使い勝手が悪くなる。
【０００５】
この問題に対処するためには、肘掛けの前後寸法を大として、出来るだけその前端部にテーブルを枢着することも考えられるが、このようにすると、複数の椅子を前後に並べて設置する際において、前後の椅子間に形成される通路が狭くなり、歩行の妨げとなる。
【０００６】
また、上記特許文献に記載のテーブル付き椅子は、テーブルを水平な使用位置に保持するテーブル受部材が、肘掛支柱における前方を向く肘掛取付部の内側面に取付けられ、かつ前後方向の寸法が比較的長いため、着座者の側面がテーブル受部材に接触して、快適な座り心地が得られなくなる恐れがあるとともに、見栄えも悪い。
【０００７】
本発明は、上記問題点に鑑みてなされたもので、肘掛けを長寸とすることなく、テーブル使用時の前後寸法を大としうるようにして、使い勝手を向上させるとともに、座り心地や見栄えも向上させうるようにしたテーブル付き椅子を提供することを目的としている。
【課題を解決するための手段】
【０００８】
本発明によると、上記課題は、次のようにして解決される。
(１)  座を支持する脚体に設けた肘掛支柱の上端に、前後方向を向く肘掛けを設け、この肘掛けの前端に設けた左右方向を向く第１枢軸回りに回動可能に枢着した、第１枢軸と直交する方向を向く第２枢軸に、テーブルの一側部を回動可能に枢着することにより、前記テーブルを、前記肘掛支柱の前方かつ前記肘掛けの下方において垂下する不使用位置から、前記第１枢軸回りに前上方に回動させたのち、前記第２枢軸回りに下方に回動させ、座の上方においてほぼ水平となる使用位置までの間を移動させうるように設けてなるテーブル付き椅子において、前記脚体に、前記肘掛支柱よりも前方に突出する左右１対の座支持ブラケットを設け、この両座支持ブラケットの前部により前記座を支持し、前記不使用位置におけるテーブルの後端が、前記座支持ブラケットによる座の支持部よりも後方に位置しうるようにする。
【０００９】
(２)  上記(１)項において、肘掛支柱を後傾させ、それと肘掛けとの連設部に形成される入隅部に、不使用位置におけるテーブルの後上方のコーナー部が入り込むようにする。
【００１０】
(３)  上記(１)または(２)項において、肘掛けの前端部内側面を外側方に凹ませ、その凹ませた内側面に、第１枢軸によりテーブルの側端部を枢着する。
【発明の効果】
【００１１】
請求項１記載の発明によれば、肘掛支柱よりも前方に突出する座支持ブラケットの前部により、座を支持し、不使用位置におけるテーブルの後端が、座の支持部よりも後方に位置しうるようにしたことにより、テーブルにおける不使用位置での奥行寸法を大とすることができる。
その結果、肘掛けを長寸とすることなく、使用位置でのテーブルの前後寸法も大きくなり、使い勝手が向上する。
【００１２】
請求項２記載の発明によれば、不使用位置でのテーブルの奥行寸法及び使用位置でのテーブルの前後寸法をより大きくすることができる。
【００１３】
請求項３記載の発明によれば、不使用位置でのテーブルの第１枢軸による枢着部が、内方、すなわち座側に大きく突出しないので、着座者の側面に接触する恐れが小さくなり、座り心地が向上するとともに、見栄えもよくなる。
【発明を実施するための最良の形態】
【００１４】
以下、本発明の実施形態を、図面に基づいて説明する。
図１は、本発明を適用した、講義室、ホール、劇場等に設置される連結椅子において、テーブルを使用位置としたときの斜視図、図２は、同じくテーブルを不使用位置としたときの斜視図である。
【００１５】
連結椅子(１)は、床面にアンカボルト等により左右方向に所定間隔おきに固定された複数（実施形態では４本）の脚柱(２)における互いに隣接するものの間に、複数（３個）の単体椅子(３)を取付けて構成されている。なお、互いに隣接する脚柱(２)(２)により、単体椅子(３)の脚体を形成している。
【００１６】
各脚柱(２)の上端には、後方に所要角度傾斜する肘掛支柱(４)が一体的に連設され、この肘掛支柱(４)の上端には、上面にクッション性を有する肘当て(５)が取付けられた、前方に向かってほぼ水平をなす肘掛け(６)が一体的に連設されている。
【００１７】
図３及び図４にも示すように、各単体椅子(３)は、それらへの着座者が共用可能な上記互いに隣接する肘掛け(６)(６)と、互いに隣接する脚柱(２)及び肘掛支柱(４)の後端部の対向面間に、若干後傾させて下半部が取付けられた背凭れ(７)と、両脚柱(２)の上端部の内側面（対向面）に後端部が固着された、脚柱(２)の前方に突出する左右１対の座支持ブラケット(８)(８)の前端部に、左右方向を向く支軸(９)により後端部の左右両側面が上向きに回動可能に支持された座(10)とを備えている。
【００１８】
図２に示すように、座(10)は、不使用時には上向きに回動させておくことができるようになっている。
【００１９】
各肘掛支柱(４)における左方の肘掛け(６)の前端には、図４，図７及び図８にも拡大して示すように、内側面を外方に向かってそぎ落とすことにより、内側面を肘当て(５)及び肘掛け(６)の内側面よりも外方に凹ませるとともに、前端部に、前下方を向くほぼ円板状の拡幅部(11a)を有するテーブル支持片(11)が、前向きに一体的に突設されている。
【００２０】
テーブル支持片(11)の上面は、肘当て(５)の上面よりも下方に位置し、かつ前端部上面は下向きに円弧状に湾曲している。
なお、肘当て(５)を省略し、肘掛け(６)のみとするときには、その上面よりもテーブル支持片(11)の上面が下位となるように突設させればよい。
【００２１】
各テーブル支持片(11)の拡幅部(11a)の内側面には、テーブル装置(12)が、次のようにして取付けられている。
【００２２】
テーブル装置(12)は、テーブル取付部材(13)とテーブル(14)とを備え、テーブル取付部材(13)は、図４及び図７に示すように、上記テーブル支持片(11)の拡幅部(11a)とほぼ等径の円柱状をなす枢支基部(13a)と、テーブル(14)の不使用時において後方を向くように、枢支基部(13a)の外周面に一体的に突設された軸状突部(13b)とよりなっている。
【００２３】
図５に示すように、テーブル取付部材(13)の枢支基部(13a)の内側面には、大径の有底孔(15)が形成され、また同じく中心部には、左右方向を向く軸孔(16)が、有底孔(15)と連通するようにして貫設されている。
【００２４】
有底孔(15)の奥面には、補強プレート(17)が、複数のボルト(18)により固着され、この補強プレート(17)の通孔(17a)と上記軸孔(16)とに嵌合されたブッシュ(18)に、内方より、第１枢軸を兼ねる段付ボルト(19)を挿通し、その先端部の雄ねじ部(19a)を、テーブル支持片(11)の拡径部(11a)に挿通して、この拡径部(11a)の外側面に形成した有底孔(20)内において雄ねじ部(19a)にナット(21)を螺合することにより、テーブル取付部材(13)の枢支基部(13a)は、拡径部(11a)の内側面に回動可能に枢着されている。
(22)(22)は、両有底孔(15)(20)に止着された目隠し用のキャップである。
【００２５】
上記テーブル(14)は、図４に示す不使用位置での側面形及び図１の使用位置での平面形が、概ね長方形をなし、図１に示す使用状態において後ろ外方の隅部（図４では前上方の隅部）付近すなわち肘当て(５)と対向する側端部後面には、ほぼ前方に向かって曲面状に切欠かれた切欠凹部(23)が形成されている。
【００２６】
図４及び図６に示すように、不使用位置でのテーブル(14)の内側面の上部には、外面が開口された方形皿状のテーブル取付板(24)が、複数の皿ねじ(25)により固定され、この上端部には、前後方向を向く支持筒(26)が、溶接により固着されている。この支持筒(26)には、第２枢軸である上記段付ボルト(19)と直交する前後方向を向く枢軸(27)の後端部が固嵌され、枢軸(27)の前端部は、テーブル取付部材(13)の軸状突部(13b)に嵌合されて回動可能に支持されている。
【００２７】
これにより、テーブル(14)は、前後方向を向く枢軸(27)を中心として上下方向に回動しうるとともに、枢軸(27)と直交する左右方向を向く段付ボルト(19)を中心としても上下方向に回動することができる。
【００２８】
下方に最大限回動した際には、図２〜図４及び図７に示すように、テーブル(14)の後端が座(10)の支軸(９)よりも後方に位置するとともに、後上方のコーナー部が、肘掛け(６)の後部下面と、若干後傾させた肘掛支柱(４)の前面上部との入隅部に入り込み、かつそれらと近接するようにして、肘掛け(６)の下方に垂下し、不使用位置に保持される。従って、この際のテーブル(14)の枢支基部(13a)からの奥行寸法は、長いものとなっている。
【００２９】
また、図３及び図４の２点鎖線で示すように、軸状突部(13b)がほぼ水平をなす位置すなわち不使用位置とほぼ点対称をなす位置まで、テーブル(14)を前上方に垂直状態で回動させたのち、枢軸(27)を中心として内方（右方）に回動させると、軸状突部(13b)の内側面に突設したストッパ(28)の上端に、テーブル(14)の下面が当接するとともに、テーブル取付部材(13)の内部に設けたストッパ手段（図示略）により、枢支基部(13a)の回動が阻止されることにより、テーブル(14)は、その上面が肘当て(５)の上面とほぼ同一面をなすとともに、外側端部が肘当て(５)の前方に位置するようにして、水平もしくは、やや前上がり傾斜状の使用位置に保持される。
【００３０】
このように、テーブル(14)を使用位置とした際、図８に拡大して示すように、肘当て(５)の前端と、テーブル(14)の外側端部の後面との間に手置き空間(Ｓ)が形成される。すなわち、肘掛け(６)の前端に、上面が肘当て(５)の上面よりも下位で、かつ前端部上面が下向きに湾曲するテーブル支持片(11)を突設するとともに、肘当て(５)と対向するテーブル(14)の後ろ外方の隅部を前方に切欠いて切欠凹部(23)を設けたことにより、手置き空間(Ｓ)が形成され、肘当て(５)に肘部を載せた状態で手(Ｈ)を手置き空間(Ｓ)に位置させることにより、手首を下方に曲げた自然な状態で、テーブル支持片(11)の上面に手(Ｈ)をリラックスさせて置くことができる。
【００３１】
また、上記実施形態では、座(10)の後端部を、左右の脚柱(２)に固着した前方に突出する座支持ブラケット(８)の前端部により支持し、脚柱(２)及びそれと一体をなす肘掛支柱(４)が、座(10)に対し相対的に後方に位置するようにし、かつ不使用位置においてテーブル(14)の後端を、座(10)の支軸(９)よりも後方に位置させるとともに、後上方のコーナー部を、後傾させた肘掛支柱(４)と肘掛け(６)との入隅部に入り込むようにしているので、肘掛け(６)の前端に突設したテーブル支持片(11)における枢着部からのテーブル(14)の奥行寸法を大とすることができる。
【００３２】
その結果、肘掛け(６)やテーブル支持片(11)の前方への突出寸法を必要最小限として、テーブル(14)の前後寸法を大きくすることができ、これを水平の使用状態としたときの使い勝手がよくなる。
【００３３】
図７に示すように、テーブル支持片(11)の内側面を、肘当て(５)及び肘掛け(６)の内側面よりも外方に凹ませ、その内側面に枢着したテーブル取付部材(13)における枢支基部(13a)の外周面より後方に突出する軸状突部(13b)に、支持筒(26)と枢軸(27)とをもって、テーブル(14)の側端部を取付けているため、テーブル(14)を不使用位置とした際において、テーブル取付部材(13)が肘当て(５)及び肘掛け(６)の内方、すなわち座(10)側に大きく突出することがない。従って着座者の側面がテーブル取付部材(13)に接触する恐れが小さくなるため、座り心地がよくなり、かつ見栄えも向上する。
【００３４】
本発明は、座(10)が座支持ブラケット(８)に固定的に設けられた椅子や、肘掛支柱(４)が垂直状をなす椅子にも適用することができる。
【図面の簡単な説明】
【００３５】
【図１】本発明を適用した連結椅子においてテーブルを使用位置としたときの斜視図である。
【図２】同じく、テーブルを不使用位置としたときの斜視図である。
【図３】同じく、テーブルを不使用位置としたときの単体椅子の拡大正面図である。
【図４】同じく側面図である。
【図５】図４のＶ−Ｖ線拡大縦断後面図である。
【図６】同じくVI−VI線拡大縦断後面図である。
【図７】テーブル不使用時における単体椅子の一側部の拡大平面図である。
【図８】使用位置としたテーブルと一方の脚柱の拡大斜視図である。
【符号の説明】
【００３６】
(１)連結椅子
(２)脚柱
(３)単体椅子
(４)肘掛支柱
(５)肘当て
(６)肘掛け
(７)背凭れ
(８)座支持ブラケット
(９)支軸
(10)座
(11)テーブル支持片
(11a)拡幅部
(12)テーブル装置
(13)テーブル取付部材
(13a)枢支基部
(13b)軸状突部
(14)テーブル
(15)有底孔
(16)軸孔
(17)補強プレート
(18)ボルト
(19)段付ボルト（第１枢軸）
(19a)雄ねじ部
(20)有底孔
(21)ナット
(22)キャップ
(23)切欠凹部
(24)テーブル取付板
(25)皿ねじ
(26)支持筒
(27)枢軸（第２枢軸）
(28)ストッパ
(Ｈ)手
(Ｓ)手置き空間
【図１】
2007222267.tif 000003
【図２】
2007222267.tif 000004
【図３】
2007222267.tif 000005
【図４】
2007222267.tif 000006
【図５】
2007222267.tif 000007
【図６】
2007222267.tif 000008
【図７】
2007222267.tif 000009
【図８】
2007222267.tif 000010